(57)【要約】【課題】Ｘ線撮影における条件設定の効率向上とＸ線照射における安全性の向上をはかる。【解決手段】被検体に対してＸ線を照射するＸ線発生部２のＸ線照射条件を示す画面を、他の複数の条件表示画面とともにマルチウインドウ画面として操作卓９のユーザインターフェイス１４に表示し、一方、Ｘ線照射のタイミング信号を出力するためのハンドスイッチ１２がスイッチホルダ１３から取り出されたことをスイッチホルダ１３に設けられたハンドスイッチ着脱センサによって検出し、この検出信号に基づいて前記Ｘ線照射条件画面を他の条件表示画面に優先してユーザインターフェイス１４に自動表示してＸ線照射条件の最終確認を行う。【選択図】  図１
2004209018.tif 000002
【特許請求の範囲】
【請求項１】
被検体の撮影位置に対してＸ線を照射するＸ線発生手段と、
このＸ線発生手段によって照射されたＸ線を検出するＸ線検出手段と、
このＸ線検出手段によって検出されたＸ線情報に基づいて前記撮影位置におけるＸ線画像データを生成する画像データ生成手段と、
少なくとも前記Ｘ線発生手段におけるＸ線照射条件の設定を行う条件設定手段と、
この条件設定手段によって設定されたＸ線照射条件を示す画面を含む複数のユーザインターフェイス画面を表示する表示手段と、
前記条件設定手段による条件設定終了のタイミング信号を出力するタイミング信号出力手段と、
前記タイミング信号出力手段から出力される条件設定終了のタイミング信号に基づき、前記表示手段において前記Ｘ線照射条件画面を他のユーザインターフェイス画面に優先して表示する表示制御手段とを備えたことを特徴とするＸ線画像診断装置。
【請求項２】
前記表示手段は、前記Ｘ線照射条件画面を含む複数のユーザインターフェイス画面をマルチウインドウによって表示することを特徴とする請求項１記載のＸ線画像診断装置。
【請求項３】
前記条件設定手段は、前記表示手段において予め表示されるＸ線照射条件の標準設定値を必要に応じて更新することを特徴とする請求項１記載のＸ線画像診断装置。
【請求項４】
前記タイミング信号出力手段は、Ｘ線照射のタイミング信号を出力するためのハンドスイッチと、このハンドスイッチを保持するためのスイッチホルダと、前記ハンドスイッチの前記スイッチホルダに対する着脱状態を検出するハンドスイッチ着脱検出手段を備え、前記条件設定終了のタイミング信号は、前記ハンドスイッチの前記スイッチホルダからの取り出しに際し、前記ハンドスイッチ着脱検出手段によって出力されることを特徴とする請求項１記載のＸ線画像診断装置。
【請求項５】
被検体の撮影位置に対してＸ線を照射するＸ線発生手段と、
このＸ線発生手段によるＸ線照射のタイミング信号を出力するためのハンドスイッチと、
このハンドスイッチを保持するためのスイッチホルダと、
前記ハンドスイッチの前記スイッチホルダに対する着脱状態を検出するハンドスイッチ着脱検出手段を備え、
前記Ｘ線発生手段は、前記ハンドスイッチが前記スイッチホルダから取り出される際に、前記ハンドスイッチ着脱検出手段によって出力される検出信号と前記ハンドスイッチから出力されるＸ線照射のタイミング信号に基づいて被検体に対してＸ線を照射することを特徴とするＸ線画像診断装置。
【請求項６】
前記ハンドスイッチ着脱検出手段は、前記ハンドスイッチ、あるいは前記スイッチホルダのいずれかに接触感知センサを設けることを特徴とする請求項４または請求項５に記載のＸ線画像診断装置。
【請求項７】
前記接触感知センサは、マイクロスイッチによって構成されることを特徴とする請求稿６記載のＸ線画像診断装置。
【請求項８】
被検体に対するＸ線照射条件の標準値を設定するステップと、前記Ｘ線照射条件の標準設定値を示した画面を他のユーザインターフェイス画面と共に表示し、必要に応じて前記Ｘ線照射条件の標準設定値を更新するステップと、
Ｘ線照射指示信号を発生するハンドスイッチを、このハンドスイッチを保持するスイッチホルダから取り出すステップと、
前記スイッチホルダ、あるいは前記ハンドスイッチに設けられたハンドスイッチ着脱センサからの検出信号に基づいて前記Ｘ線照射条件の設定値を示した画面を他のインターフェイス画面に優先して表示するステップと
前記ハンドスイッチによってＸ線照射指示信号をＸ線発生部に供給しＸ線撮影を行うステップとを有することを特徴とするＸ線撮影方法。
【発明の詳細な説明】
【０００１】
【発明の属する技術分野】
本発明はＸ線画像診断装置に係り、特に操作性と安全性の向上をはかったＸ線画像診断装置及びＸ線撮影方法に関する。
【０００２】
【従来の技術】
Ｘ線画像診断装置やＭＲＩ装置、あるいはＸ線ＣＴ装置などを用いた医用画像診断技術は、１９７０年代のコンピュータ技術の発展に伴い急速な進歩を遂げ、今日の医療において必要不可欠なものとなっている。
【０００３】
Ｘ線画像診断装置に用いられる検出素子として、従来はＸ線フィルムやＩ．Ｉ．（イメージ・インテンシファイア）が使用されてきた。Ｉ．Ｉ．を用いたＸ線撮影方法ではＸ線管から発生したＸ線によって被検体を照射し、このとき被検体を透過して得られるＸ線の画像情報は、Ｉ．Ｉ．において光学画像に変換され、更に、この光学画像はＸ線ＴＶカメラによって撮影され電気信号に変換される。
そして、電気信号に変換されたＸ線画像情報はＡ／Ｄ変換後、モニタに表示される。このため、Ｉ．Ｉ．を用いた撮影方法は、フィルム方式では出来なかったリアルタイム撮影を可能とし、また、デジタル信号で画像データの収集ができるため、種々の画像処理を可能とした。
【０００４】
更に、このＩ．Ｉ．に替わるものとして、近年、２次元配列のＸ線平面検出器（以下平面検出器）が大きな注目を集め、その一部は既に実用化の段階に入っている。この平面検出器を用いた装置では、Ｘ線画像情報を直接電気信号に変換できるため、画質性能や安定性の面での大幅向上が期待されている。
【０００５】
このような装置においては、被検体の撮影部位や撮影方法、あるいは撮影目的によって最適な撮影条件の設定が重要となっている（例えば、特許文献１参照。）。
【０００６】
また、近年のＸ線画像診断装置の操作部や表示部から構成されるユーザーインターフェイスには、汎用のパーソナルコンピュータが導入され、Ｘ線撮影における種々の条件設定は前記表示部に表示されるマルチウインドウ画面を用いることによってより簡単に行なわれるようになってきた。この条件設定としてＸ線照射条件、寝台制御条件、画像処理条件などがあり、これらはウインドウ画面上で設定、表示される。また、患者登録情報も同様なウインドウ画面によって表示される。
【０００７】
【特許文献１】
特開２０００−２６１７２４号公報（第３−５頁、第３図）
【０００８】
【発明が解決しようとする課題】
上記のようなＸ線画像診断装置において、各種の条件設定を行った後に被検体に対してＸ線を照射する際、操作者はＸ線照射条件設定ウインドウにて照射条件の最終確認を行なうことが被検体に対する安全性確保の面から義務づけられている。即ち、操作者は操作部の操作パネル上に設けられたマウス等の入力デバイスを操作することによって、複数の条件設定ウインドウの中から所望のＸ線照射条件設定ウインドウを選択して表示することにより、照射条件の確認を行う方法がとられてきた。しかしながら、この方法によれば、表示部のモニタ画面上に重なって表示されている多くのウインドウ画面の中から所望のウインドウ画面（Ｘ線照射条件設定ウインドウ）を選択することは面倒であった。
【０００９】
一方、従来より、Ｘ線画像診断装置の操作部にはハンドスイッチが設けられ、このハンドスイッチを用いることによってＸ線照射のトリガ（タイミング）信号を入力する方法がとられてきたが、このハンドスイッチにはインターロック機能がついていないため、操作者は誤ってハンドスイッチに触れることによって被検体に対してＸ線を誤照射するという問題点があった。
【００１０】
本発明は、このような問題点に鑑みてなされたものであり、その目的は、Ｘ線照射における操作効率を改善するとともに、高い安全性を確保することが可能なＸ線画像診断装置及びＸ線撮影方法を提供することにある。
【００１１】
【課題を解決するための手段】
上記課題を解決するために、請求項１に係る本発明のＸ線画像診断装置では、被検体の撮影位置に対してＸ線を照射するＸ線発生手段と、このＸ線発生手段によって照射されたＸ線を検出するＸ線検出手段と、このＸ線検出手段によって検出されたＸ線情報に基づいて前記撮影位置におけるＸ線画像データを生成する画像データ生成手段と、少なくとも前記Ｘ線発生手段におけるＸ線照射条件の設定を行う条件設定手段と、この条件設定手段によって設定されたＸ線照射条件を示す画面を含む複数のユーザインターフェイス画面を表示する表示手段と、前記条件設定手段による条件設定終了のタイミング信号を出力するタイミング信号出力手段と、前記タイミング信号出力手段から出力される条件設定終了のタイミング信号に基づき、前記表示手段において前記Ｘ線照射条件画面を他のユーザインターフェイス画面に優先して表示する表示制御手段とを備えたことを特徴としている。
【００１２】
また、請求項５に係る本発明のＸ線画像診断装置では、被検体の撮影位置に対してＸ線を照射するＸ線発生手段と、このＸ線発生手段によるＸ線照射のタイミング信号を出力するためのハンドスイッチと、このハンドスイッチを保持するためのスイッチホルダと、前記ハンドスイッチの前記スイッチホルダに対する着脱状態を検出するハンドスイッチ着脱検出手段を備え、前記Ｘ線発生手段は、前記ハンドスイッチが前記スイッチホルダから取り出される際に、前記ハンドスイッチ着脱検出手段によって出力される検出信号と前記ハンドスイッチから出力されるＸ線照射のタイミング信号に基づいて被検体に対してＸ線を照射することを特徴としている。
【００１３】
更に、請求項８に係る本発明のＸ線撮影方法では、被検体に対するＸ線照射条件の標準値を設定するステップと、前記Ｘ線照射条件の標準設定値を示した画面を他のユーザインターフェイス画面と共に表示し、必要に応じて前記Ｘ線照射条件の標準設定値を更新するステップと、Ｘ線照射指示信号を発生するハンドスイッチを、このハンドスイッチを保持するスイッチホルダから取り出すステップと、前記スイッチホルダ、あるいは前記ハンドスイッチに設けられたハンドスイッチ着脱センサからの検出信号に基づいて前記Ｘ線照射条件の設定値を示した画面を他のインターフェイス画面に優先して表示するステップと前記ハンドスイッチによってＸ線照射指示信号をＸ線発生部に供給しＸ線撮影を行うステップとを有することを特徴としている。
【００１４】
したがって本発明によれば、Ｘ線撮影のための各種条件設定を効率よく行うことができるため、Ｘ線診断に要する時間を短縮することができる。また、被検体に対するＸ線の誤照射を防ぐことができるため、Ｘ線診断における安全性が向上する。
【００１５】
【発明の実施の形態】
本発明の実施の形態の特徴は、ハンドスイッチ、あるいはスイッチホルダにハンドスイッチ着脱センサを設けることによって、操作者がＸ線照射を行う際に、前記ハンドスイッチを取り出したことを自動的に検出することにある。このハンドスイッチ着脱センサの出力によって表示部のモニタ上にＸ線照射条件設定ウインドウを自動表示するとともに、ハンドスイッチから発生するＸ線照射用トリガ（タイミング）信号に基づいたＸ線照射を可能とする。
【００１６】
本発明の実施の形態におけるＸ線画像診断装置の構成につき図１及び図２を用いて説明する。なお、図１はＸ線画像診断装置全体の概略構成を示す図であり、図２はこのＸ線画像診断装置のブロック図である。
【００１７】
図１に示したＸ線画像診断装置１００は、Ｘ線を被検体３に向け放射させるためのＸ線発生部２と、このＸ線発生部２におけるＸ線放射に必要な高電圧を供給する高電圧発生部１と、高電圧発生部１を制御する高電圧制御部２０と、被検体３を透過したＸ線を検出するＸ線検出部５と、Ｘ線発生部２とＸ線検出部５を保持したＣアーム７や被検体３を載せた寝台４を所定方向に移動するための機構制御部６とを備えている。
【００１８】
また、Ｘ線画像診断装置１００は、Ｘ線検出部５で生成されるＸ線画像データを保存するとともに、種々の画像処理を行なう画像演算・記憶部１０と、この画像演算・記憶部１０に保存されているＸ線画像データを表示する表示部１１と、操作者が各種の指示の入力や条件の設定を行うための操作部９と、上記各ユニットを統括制御するシステム制御部８とを備えている。
【００１９】
更に、Ｘ線画像診断装置１００の前記操作部９の操作卓にはスイッチホルダ１３が設けられ、このスイッチホルダ１３にはシステム制御部８に接続されたハンドスイッチ１２が着脱自在に取りつけられている。また、操作部９の操作卓上には、各種の条件設定に用いられる液晶パネル等からなるユーザインターフェイス１４が備えられている。
【００２０】
このような概略構成をした本実施の形態のＸ線画像診断装置１００の構成について図２のブロック図を用いて更に詳しく説明する。
【００２１】
図２のＸ線発生部２は、被検体３に対しＸ線を照射するＸ線管２１とこのＸ線管２１から照射されたＸ線をコリメートするＸ線絞り器２２から構成されている。このＸ線管２１はＸ線を発生する真空管であり、高電圧発生器１から供給される高電圧により電子を加速させ、タングステンターゲットに衝突させることでＸ線を発生させる。また、Ｘ線絞り器２２はＸ線管２１と寝台４に置かれた被検体３の間に位置し、Ｘ線管２１から放射されたＸ線ビームを受像サイズに絞り込み鮮明な画像を得る機能を有している。
【００２２】
寝台４は、Ｃアーム７によって所定の間隔に固定されたＸ線発生部２とＸ線検出部５の間に配置され、被検体３の所定部位の撮影を行なうために体軸方向（図面に垂直な方向）等への移動が可能になっている。
【００２３】
Ｘ線検出部５は、Ｘ線Ｉ．Ｉ．２４とＸ線テレビカメラ２６を備えており、このＸ線Ｉ．Ｉ．２４によって被検体３を透過したＸ線画像情報は可視光に変換され、更に、光−電子−光変換の過程で輝度の増倍が行われて感度のよい光学画像に変換される。光学画像に変換されたＸ線画像情報はＸ線テレビカメラ２６によって電気信号（ビデオ信号）に変換される。なお、Ｘ線テレビカメラ２６はＣＣＤ撮像素子が使われる。なお、以下ではＸ線発生部２とＸ線検出部５をまとめて映像系と呼ぶ。
【００２４】
画像演算・記憶部１０は、Ａ／Ｄ変換器２７と画像データ記憶回路２８と画像演算回路２９を備えており、Ａ／Ｄ変換器２７は、Ｘ線テレビカメラ２６から送られてくるＸ線画像情報としての映像信号をデジタル信号に変換しＸ線画像データを生成する。また、画像データ記憶回路２８は、このＸ線画像データを一旦記憶し、画像演算回路２９はこの画像データに対して種々の画像処理、あるいはＤＳＡ撮影の場合には造影剤注入前後の画像間サブトラクションなどの演算を行う。
【００２５】
一方、表示部１１は表示に必要な１枚分のＸ線画像データ、あるいはこのＸ線画像データの付帯情報である数字や各種文字などを一旦保存する表示用画像データ記憶回路３０と、この保存されたＸ線画像データ及び付帯情報をアナログ信号に変換するＤ／Ａ変換器３１と、このアナログ信号をＴＶフォーマットに変換して映像信号を生成するフォーマット変換回路３２と、映像信号に変換されたＸ線画像データを表示するモニタ３３などから構成されている。
【００２６】
一方、機構制御部６は、映像系移動機構部３８と寝台移動機構部３９と機構制御回路４０とを備えている。映像系移動機構部３８は、Ｘ線発生部２及びＸ線検出部５（映像系）を支えるＣアーム７と一体化されており、寝台４の周囲での回転や被検体３の体軸方向への移動のための機構が備えられている。
【００２７】
寝台移動機構部３９は寝台４の天板と一体化されており、被検体３を載せた状態で寝台４を被検体３の体軸方向へ移動するための機構が備えられている。また、機構制御回路４０は、映像系移動機構部３８及び寝台移動機構部３９による映像系及び寝台４の移動を制御する回路であり、各機構部に対して制御信号を出力する。
【００２８】
操作部９は、操作パネル上に液晶パネル（ユーザインターフェイス）１４、キーボード、トラックボール、マウス、各種選択ボタンや設定値増減用ツマミ等を備えている。ユーザインターフェイス１４には設定値一覧ウインドウＷ１，Ｘ線照射条件設定ウインドウＷ２、寝台制御設定ウインドウＷ３、患者登録情報ウインドウＷ４、更にはこれらのウインドウ（Ｗ１乃至Ｗ４）を選択するためのメニューウインドウＷ０の表示が可能である。
【００２９】
図３は、ユーザインターフェイス１４において表示されるウインドウＷ０乃至Ｗ４について示したものであり、このメニューウインドウＷ０は電源投入直後に表示され、操作者は、このメニューウインドウＷ０に表示された設定値一覧ウインドウＷ１，Ｘ線照射条件設定ウインドウＷ２、寝台制御設定ウインドウＷ３・・・などの中から所望のウインドウをマウスなどを用いて選択して表示する。
【００３０】
なお、図３に示すように、設定値一覧ウインドウＷ１にはＸ線照射条件や寝台制御条件などの主な条件設定値が表示され、患者登録情報ウインドウＷ４には患者のＩＤ、生年月日、撮影部位、撮影方式、過去の診断結果などが表示される。
一方、Ｘ線照射条件設定ウインドウＷ２にはＸ線照射時のＸ線管管電流や管電圧、更には撮影時間などの条件設定値が表示され、寝台制御条件設定ウインドウＷ３には寝台４の移動速度、移動範囲、移動方向、更には画像の拡大率などの条件設定値が表示される。
【００３１】
図２の操作部９にはＸ線照射の開始トリガ（タイミング）を入力するためのハンドスイッチ１２と、このハンドスイッチ１２を保持するスイッチホルダ１３が設けられている。そして、前記スイッチホルダ１３には図示しないハンドスイッチ着脱センサが備えられ、操作者によってＸ線照射の指示がハンドスイッチ１２を用いて行われる場合、前記ハンドスイッチ１２はスイッチホルダ１３から取り出され、この取り出されたことが前記ハンドスイッチ着脱センサによって検出される。このハンドスイッチ１２及びスイッチホルダ１３の詳細については後述する。
【００３２】
システム制御部８は、ＣＰＵ（中央演算処理装置）３５と記憶回路３６を備え、ＣＰＵ３５は操作部９から入力されるコマンド信号に従って各ユニットの制御やシステム全体の制御を統括して行う。
【００３３】
一方、システム制御部８の記憶回路３６は、操作部９のユーザインターフェイス１４に表示されるウインドウＷ０乃至Ｗ３に対応した記憶領域を備えており、これらの記憶領域には電源投入時に自動的に設定される標準設定値や更新後の設定値が記憶されている。
【００３４】
例えば、Ｘ線照射条件設定ウインドウＷ２に対応した記憶領域にはＸ線照射時のＸ線管管電流や管電圧、撮影時間などの条件設定値が記憶され、寝台制御条件設定ウインドウＷ３に対応した記憶領域には寝台４の移動速度、移動範囲、移動方向などの条件設定値が記憶される。また、設定値一覧ウインドウＷ１対応の記憶領域には上記Ｘ線照射条件や寝台制御条件などのうちの主な条件設定値が纏められて記憶され、患者登録情報ウインドウＷ４対応の記憶領域には患者のＩＤ、生年月日、撮影部位、撮影方式、更には過去の診断結果などが患者ＩＤの入力時に例えば院内のサーバなどから供給され予め登録される。
【００３５】
更に、記憶回路３６には上記の設定値一覧ウインドウＷ１の条件設定項目に対する標準設定値が記憶されている標準値記憶領域を備え、この記憶領域には例えばこのＸ線画像診断装置１００が設置されている医療施設において、独自に設定された標準設定値が記憶されている。
【００３６】
次に、本発明の実施の形態におけるＸ線撮影手順について図１乃至図５を用いて説明する。なお、図４は撮影手順のフローチャートを示す。
【００３７】
Ｘ線画像診断装置１００の電源を投入した時点で、このＸ線画像診断装置１００は、同じ医療施設内に設置されている図示しないサーバと接続状態となる。装置電源投入後、システム制御部８のＣＰＵ３５は、記憶回路３６の標準値記憶領域に保存されている各条件設定項目の標準設定値を同じ記憶回路３６の設定値一覧ウインドウＷ１対応の記憶領域に送り、一旦保存する（図４のステップＳ１）。
【００３８】
次いで、操作者によって患者ＩＤが操作部９より入力されることによって、システム制御部８のＣＰＵ３５は、前記サーバに既に記憶されている患者登録情報の中から前記患者ＩＤに対応した患者登録情報を読み出し、記憶回路３６の患者登録情報ウインドウＷ４対応の記憶領域に保存する（図４のステップＳ２）。
【００３９】
設定値一覧ウインドウＷ１及び患者登録情報ウインドウＷ４に対応した記憶領域への初期値設定が終了したならば、操作者は操作部９よりシステム制御部８を介して機構制御部６の映像系移動機構部３８、あるいは寝台移動機構部３９に対して指示信号を供給し、Ｘ線発生部２及びＸ線検出部５に対して被検体３を最適な位置に設定する。
【００４０】
この時点で、操作部９のユーザインターフェイス１４にはメニューウインドウＷ０が表示されており、操作者は、このメニューウインドウＷ０の中に示された各ウインドウ名の中から設定値一覧ウインドウＷ１をマウス等によって選択する。そして、ユーザインターフェイス１４に表示された設定値一覧ウインドウＷ１において、既に設定済みの標準設定値を確認し、例えばＸ線照射条件の設定値を更新する必要がある場合は、再度メニューウインドウＷ０からＸ線照射条件設定ウインドウＷ２を選択する。
【００４１】
次いで、ユーザインターフェイス１４の最前面に表示されたＸ線照射条件設定ウインドウＷ２の所定の設定値欄をマウスによって選択し、操作部９に設けられた設定値増減用ツマミ、あるいはキーボード等によって設定値の更新を行う。この更新された設定値は設定値一覧ウインドウＷ１においても反映され、また、夫々のウインドウに対応した記憶回路３６の記憶領域においても更新された設定値の保存が行われる。
【００４２】
同様な手順によって寝台制御設定ウインドウＷ３など、その他のウインドウにおける設定値についても必要に応じて更新される（図４のステップＳ３）。
【００４３】
このようにして、全ての条件設定が終了したならば、Ｘ線診断のルールに基づき、再びＸ線照射条件設定ウインドウＷ２に戻って、生体安全に関与したＸ線照射条件の最終確認を行う必要があり、操作者は、操作部９のユーザインターフェイス１４において重ねられて表示されている複数枚（Ｎ枚）のウインドウＷ０乃至ＷＮの中から所望のＸ線照射条件設定ウインドウＷ２を選択して表示する。
【００４４】
但し、本実施の形態における上記Ｘ線照射条件設定ウインドウＷ２の表示は、操作者が操作部９に設けられたＸ線照射用のハンドスイッチ１２をスイッチホルダ１３から取り出すことによって自動的に行われる。
【００４５】
図５は、操作部９に設けられたスイッチホルダ１３と、このスイッチホルダ１３に挿入されているハンドスイッチ１２の各断面を示す。ハンドスイッチ１２の上部には操作者がシステム制御部８に対してＸ線の照射のトリガ信号を送る場合に使用する押しボタン１５が装着されており、この押しボタン１５が押された場合に導通状態となるスイッチ１６が一体化されている。このスイッチ１６の第１の端子は接地されており、第２の端子はシステム制御部８に接続されている。そして、通常像の状態（押しボタン１５が押されていない状態）でＨレベルの電圧となっているスイッチ１６の第２の端子は、前記押しボタン１５が操作者によって押されることによってＬレベル（ゼロ電位）に変化してＸ線照射のトリガ信号が生成され、この信号はシステム制御部８に送られる。
【００４６】
一方、このハンドスイッチ１２を保持しているスイッチホルダ１３の底部には例えばマイクロスイッチで構成されたハンドスイッチ着脱センサ１８が設けられている。このハンドスイッチ着脱センサ１８は、スイッチホルダ１３におけるハンドスイッチ１２の有無を検出しており、特にハンドスイッチ１２がスイッチホルダ１３から取り出された場合には前記ハンドスイッチ着脱センサ１８よりシステム制御部８に対して検出信号（離脱信号）が供給される。
【００４７】
既に述べた手順によって各種の条件設定の入力が終了したならば、操作者は、操作部９のスイッチホルダ１３からハンドスイッチ１２を取り出す（ステップＳ４）。このとき、スイッチホルダ１３に設けられたハンドスイッチ着脱センサ１８は前記ハンドスイッチ１２が取り出されたことを感知し、システム制御部８に対して離脱信号を供給する。システム制御部８のＣＰＵ３５は、この離脱信号を受信し、記憶回路３６に記憶されているＸ線照射条件設定ウインドウＷ２に関する情報を読み出し、ユーザインターフェイス１４の最前面においてＸ線照射条件設定ウインドウＷ２を表示する（図４のステップＳ５）。
【００４８】
図６は、ユーザインターフェイス１４に表示される各条件設定ウインドウＷ０乃至Ｗ４を示しており、ハンドスイッチ１２をスイッチホルダ１３から取り出す前には、他の条件設定ウインドウによって隠れていたＸ線照射条件設定ウインドウＷ２（図６（ａ））は、スイッチホルダ１３から取り出すことによって最前面に表示される。
【００４９】
操作者は、前記ユーザインターフェイス１４に表示されたＸ線照射条件設定ウインドウＷ２を観察し、誤りのないことを確認したならばハンドスイッチ１２の上部に備えられた押しボタン１５を押す。
【００５０】
一方、Ｘ線照射条件設定ウインドウＷ２に表示された設定値に誤り等があり、設定値の更新が必要な場合には、操作者は、ハンドスイッチ１２をスイッチホルダ１３に戻し（図４のステップＳ６）、ユーザインターフェイス１４に表示されているＸ線照射条件設定ウインドウＷ２を用いて変更すべき設定値を入力した後（図４のステップＳ７）、再度ハンドスイッチ１２をスイッチホルダ１３から取り出し、ハンドスイッチ１２の押しボタン１５を押す。
【００５１】
押しボタン１５が操作者によって押されることによって、Ｘ線照射の開始コマンドが操作部９のハンドスイッチ１２よりシステム制御部８に供給され、更に、システム制御部８から駆動信号が高電圧制御部２０を介して高電圧発生部１に送られる。
【００５２】
この駆動信号によって、高電圧発生部１よりＸ線発生部１のＸ線管２１に高電圧が印加され、Ｘ線管２１は被検体３に対してパルスＸ線を照射する（図４のステップＳ８）。そして、被検体３を透過したＸ線は、被検体３の後方に配置されるＸ線Ｉ．Ｉ．２４によってＸ線透過画像を得る。
【００５３】
Ｘ線Ｉ．Ｉ．２４によってＸ線画像は光学画像に変換され、更に、Ｘ線テレビカメラ２６によって電気信号（ビデオ信号）に変換される。このＸ線テレビカメラ２６から出力されるビデオ信号は、画像記憶・演算部１０のＡ／Ｄ変換器２７にてデジタル信号に変換され、Ｘ線画像データとして画像データ記憶回路２８に記憶される。また、輪郭強調のような画像処理を行う場合には、システム制御部８の制御下において画像演算回路２９の図示しないＣＰＵは、前記画像データ記憶回路２８に保存されたＸ線画像データを読み出し、所定の画像処理を行った後、再び前記画像データ記憶回路２８に保存する。
【００５４】
画像データ記憶回路２８において１枚のＸ線画像データが生成されたならば、システム制御部８は、画像データ記憶回路２８の画像データを表示部１１の表示用画像データ記憶回路３０に一旦保存し、更に、Ｄ／Ａ変換器３１とフォーマット変換回路３２によってＤ／Ａ変換とＴＶフォーマットへの変換を行った後、モニタ３３にてＸ線画像として表示する（図４のステップＳ９）。
【００５５】
なお、ハンドスイッチ１２から出力されるＸ線照射のコマンド信号がシステム制御部８のＣＰＵ３５に入力され、高電圧発生部１にＸ線照射の制御信号が供給されるのは、このハンドスイッチ１２がスイッチホルダ１３から取り出されている場合に限られる。即ち、ハンドスイッチ１２から出力されるＸ線照射開始コマンド信号と、スイッチホルダ１３から出力される離脱信号の両方がシステム制御部８のＣＰＵ３５に入力された場合にのみ、前記ＣＰＵ３５から高電圧発生器１に対してＸ線照射のための制御信号が出力される。
【００５６】
以上述べた本発明の実施の形態によれば、ハンドスイッチ１２をスイッチホルダ１３から取り出すことによって、Ｘ線照射条件設定ウインドウＷ２が表示部１１のモニタ３３の最前面に自動的に表示される。このため、操作者は多くのウインドウ画面の中からＸ線照射条件設定ウインドウＷ２をマウス等を用いて選択するという煩わしい作業から開放される。従ってＸ線撮影の撮影条件設定を効率よく行うことができ、Ｘ線診断に要する時間を短縮することが可能となる。
【００５７】
更に、本実施の形態によれば、ハンドスイッチ１２がスイッチホルダ１３から取り出された場合のみ、ハンドスイッチ１２から出力されるＸ線照射開始コマンドが有効となるため、例え操作者がスイッチホルダ１３に置かれたハンドスイッチ１２の押しボタン１５に誤って触れても、被検体３に対するＸ線の誤照射を防ぐことができ、Ｘ線診断における安全性が向上する。
【００５８】
以上、本発明の実施の形態について述べてきたが、本発明は上記の実施の形態に限定されるものでは無く、変形して実施することが可能である。例えば、本実施の形態においてはＣアーム７を用いたＸ線画像診断装置について述べたが、これに限定されない。また、Ｘ線Ｉ．Ｉ．２４を用いたＸ線検出部５に限定されるものではなく、平面検出器を用いた場合であってもよい。
【００５９】
一方、本実施の形態では各種条件設定用の画面を操作部９のユーザインターフェイスに表示したが、表示部１１に備えられているＸ線画像データ表示用のモニタ３３に表示してもよい。また、ハンドスイッチ着脱センサ１８はスイッチホルダ１３に設けたが、ハンドスイッチ１２に設けてもよい。
【００６０】
更に、本発明は被検体３に対して複数方向からＸ線を照射し、得られた透過Ｘ線量に基づいた画像再構成によって画像データを得るＸ線ＣＴ装置など、他のＸ線画像診断装置においても適用可能である。
【００６１】
【発明の効果】
以上述べたように、本発明によれば、Ｘ線撮影のための各種条件設定を効率よく行うことができるため、Ｘ線診断に要する時間を短縮することが可能となる。また、被検体に対するＸ線の誤照射を防ぐことができるためＸ線診断における安全性が向上する。
【図面の簡単な説明】
【図１】本発明の実施の形態におけるＸ線画像診断装置の概略構成を示す図。
【図２】本発明の実施の形態におけるＸ線画像診断装置のブロック図。
【図３】本発明の実施の形態のユーザインターフェイスにおいて表示される条件設定画面の構成を示す図。
【図４】本発明の実施の形態におけるＸ線照射条件の設定手順を示すフローチャート。
【図５】本発明の実施の形態におけるハンドスイッチ及びスイッチホルダの構成例を示す図。
【図６】本発明の実施の形態におけるユーザインターフェイスに表示される各条件設定ウインドウを示す図。
【符号の説明】
１…高電圧発生部
２…Ｘ線発生部
３…被検体
４…寝台
５…Ｘ線検出部
６…機構制御部
７…保持機構
８…システム制御部
９…操作部
１０…画像演算・記憶部
１１…表示部
１２…ハンドスイッチ
１３…スイッチホルダ
１５…押しボタン
１６…スイッチ
１７…操作パネル
１８…ハンドスイッチ着脱センサ
２０…高電圧制御部
２１…Ｘ線管
２２…Ｘ線絞り器
２４…Ｘ線Ｉ．Ｉ．
２６…Ｘ線テレビカメラ
２７…Ａ／Ｄ変換器
２８…画像データ記憶回路
２９…画像演算回路
３０…表示用画像データ記憶回路
３１…Ｄ／Ａ変換器
３２…フォーマット変換回路
３３…モニタ
３５…ＣＰＵ
３６…記憶回路
３８…映像系移動機構部
３９…寝台移動機構部
４０…機構制御回路
【図１】
2004209018.tif 000003
【図２】
2004209018.tif 000004
【図３】
2004209018.tif 000005
【図４】
2004209018.tif 000006
【図５】
2004209018.tif 000007
【図６】
2004209018.tif 000008